(57)【要約】【課題】電池パック１を無線機本体に装着したときのガタツキを除去すると共に、組み立て作業性を向上させることにより電池パック１の部品（例えば、板バネ２とスライドノブ３）を容易に装着できる構造にすることを目的とする。【解決手段】板バネ２の中央にロック穴２ａを設けると共に、板バネ２の両端が支点となるようにすることにより無線機本体装着時のガタツキをなくすようにする。更に、板バネ２の両端が支点となるように電池ケース１の内側に設けた凸部１ｄと内壁１ｇにより、板バネ２を電池パック１に装着できる構造にする。また、スライドノブ３の爪３ａをスナップフィット固定するロック穴１ｂを有する弾性片１ｃを電池ケース１に設けることにより、スライドノブ３もワンタッチで電池パック１に装着できる構造にする。【選択図】図１
2004253285.tif 000002
【特許請求の範囲】
【請求項１】
無線機本体背面に電池パックを装着するタイプで、無線機本体シャーシ側に爪を有し、電池パック側に前記爪に対応した穴を設けた板バネとその板バネを押し下げるスライドノブを有する電池パックのロック構造において、板バネの中央に穴を有し、板バネの両端を支点として板バネ中央部をスライドノブが押したわむように配置したことを特徴とする電池パックのロック構造。
【請求項２】
前記電池パックにおいて、スライドノブ中央部にロック爪、両側面にスライド溝と板バネ押しリブを有し、電池パックケース側には前記スライド溝に対応したスリットとロック爪に対応したロック穴を有し、前記ロック穴はケースと一体の弾性片の中央に設けられていることを特徴とする電池パックのロック構造。
【発明の詳細な説明】
【０００１】
【発明の属する技術分野】
本発明は携帯無線機に使用される電池パックのロック構造に関するものである。
【０００２】
【従来の技術】
従来の電池パックのロック構造例について図８〜図１０を参照して説明する。
【０００３】
図８は従来の電池パック斜視図、図９はスライドノブ斜視図、図１０は無線機本体背面斜視図を示す。従来の電池パックのロック部の構成は、電池パック１側の爪１ｅと板バネ２のロック穴２ａが、無線機本体４側の穴４ａと爪４ｂに対応し、スライドノブ３のリブ３ｃは電池パック１の両側に板バネ２のロック穴２ａ付近に接するように配置されている。ここで板バネ２は中央部の支点２ｂで固定され、リブ１ｆに挟みこまれており、両端のロック穴２ａ付近は自由端となっている。また、スライドノブ３は溝３ｂを有し、電池パック１側のスリット１ｆに挿入後リブ３ｃをかしめ、抜け止めしている。
【０００４】
【発明が解決しようとする課題】
従来の携帯無線機の電池パックロック構造は、中央に支点、両端にロック穴を有する板バネと  板バネのロック穴付近に接するスライドノブで構成されているが、板バネは中央支点のみ保持されており両端が保持されないため  電池パック装着時に無線機の前後方向（図８の矢印の方向）にガタツキを生じてしまうという欠点があった。このガタツキは製品の品位を落とす以外に、大きくなると端子（図８記載の端子１ｈ、図１０記載の端子４ｃ）の接触不良をまねき、無線機運用不可という事態を招く恐れもあった。また、従来の板バネは電池パックの内ケースと外ケース組付け時に同時に挟みこむもので、スライドノブも外ケースのスリットにかしめる構造のため  組み立て作業性を著しく低下させており、板バネとスライドノブに異常が生じた場合、部品交換することもできず、パックごと交換せざるをえない構造であった。
【０００５】
【課題を解決するための手段】
本発明は上記課題を解決するため、板バネの中央にロック穴を設けると共に  バネ支点を両端に設けることによりガタツキをなくすようにする。更に、ケース内側両端に板バネの抜け止め爪を設けることにより、ケース完成後でも後から板バネを装着可能とすると共に、外ケース側にスライドノブの爪をスナップフィット固定するロック穴を有する弾性片を設けることにより、スライドノブもケース完成後にワンタッチで着脱可能となるようにする。その結果、装着時のガタツキがなく、著しく生産性及び保守性の良い電池パックを提供することができる。
【０００６】
【発明の実施の形態】
本発明の一実施例であるロック構造について図１〜図７、図１１を参照して説明する。図１は電池パック斜視図、図２は無線機本体背面斜視図、図３は電池パックケース単体斜視図、図４はスライドノブ斜視図、図５は板バネ斜視図、図６は電池パック装着時の携帯無線機斜視図、図７はロック時の携帯無線機縦断面図、図１１は板バネの着脱方法を示す斜視図である。電池パック１側の爪１ｅとロック穴２ａが、無線機本体４側の穴４ａと爪４ｂに対応し、スライドノブ３のリブ３ｃはロック穴２ａ付近に接するように配置されている。ここで板バネ２は両端２ｂをたわみの支点とし電池パック１の内壁１ｇと凸部１ｄで固定され、中央のロック穴２ａ付近が自由にたわむようになっており、板バネ２の両端には取り外し時の引っかけ穴２ｃが設けられている。引っかけ穴２ｃが設けられていることにより、図１１に示すように、工具５の先端部５ａを引っかけ穴２ｃに挿入して矢印の方向に動かすことにより板バネ２を着脱することができる。また、スライドノブ３は側面に溝３ｂを有し、溝３ｂを電池パック１側のスリット１ａに挿入することにより、爪３ａが弾性片１ｃのロック穴１ｂにスナップ固定されるようになっている。
【０００７】
【発明の効果】
本発明によれば、板バネの両端が固定されているため、ロック穴部に無線機前後方向のガタツキが生じることがなく、電池パック装着のガタツキをなくすことができ、端子の接触不良の心配もなくすることができる。更には、スライドノブ及び板バネもケース完成後にワンタッチで着脱可能となるため、著しく生産性及び保守性の良い電池パックを提供することができる。
【図面の簡単な説明】
【図１】本発明の一実施例である電池パック斜視図。
【図２】本発明の一実施例である無線機本体背面斜視図。
【図３】本発明の一実施例である電池パックケース単体斜視図。
【図４】本発明の一実施例であるスライドノブ斜視図。
【図５】本発明の一実施例である板バネ斜視図。
【図６】本発明の一実施例である携帯無線機背面斜視図。
【図７】本発明の一実施例である携帯無線機縦断面図。
【図８】従来の一例である電池パック斜視図。
【図９】従来の一例であるスライドノブ斜視図。
【図１０】従来の一例である携帯無線機背面斜視図。
【図１１】本発明の一実施例である板バネの着脱方法を示す斜視図。
【符号の説明】
１：電池パック                                        ２：板バネ
３：スライドノブ                                                ４：無線機本体
５：工具
１ａ：スリット                                        １ｂ：ロック穴
１ｃ：弾性片                                            １ｄ：凸部
１ｅ：爪                                                    １ｆ：リブ
１ｇ：内壁                                                            １ｈ：端子
２ａ：ロック穴                                        ２ｂ：支点
２ｃ：穴
３ａ：ロック爪                                        ３ｂ：スライド溝
３ｃ：リブ
４ａ：穴                                                    ４ｂ：ロック爪
４ｃ：端子
５ａ：先端部
【図１】
2004253285.tif 000003
【図２】
2004253285.tif 000004
【図３】
2004253285.tif 000005
【図４】
2004253285.tif 000006
【図５】
2004253285.tif 000007
【図６】
2004253285.tif 000008
【図７】
2004253285.tif 000009
【図８】
2004253285.tif 000010
【図９】
2004253285.tif 000011
【図１０】
2004253285.tif 000012
【図１１】
2004253285.tif 000013